(57)【特許請求の範囲】
【請求項１】
長さ方向交互に配置されたセンターリンクと上下一対のサイドリンクとを、センターリンクの端部を上下一対のサイドリンクの端部が上下から挟む状態で互いに水平方向に相対揺動自在に垂直ピンにより連結し、適当間隔おきにある上側サイドリンクの一端部上にプッシャーを突設し、このプッシャーのある側の端部の前記垂直ピンは当該プッシャー付き上側サイドリンクの下側から一体に連設したプッシャー付きコンベヤチェンであって、
前記プッシャー付き上側サイドリンクには、その一体連設垂直ピンの左右両側の少なくとも一方において、センターリンク上側面と摺接するリンク下側面に、横側方に開口する潤滑油案内用凹溝を形成して成る、プッシャー付きコンベヤチェン。
【請求項２】
前記プッシャー付き上側サイドリンクの側面視において、前記潤滑油案内用凹溝の位置が、前記一体連設垂直ピンの軸心位置よりも当該プッシャー付き上側サイドリンクの長さ方向中央寄りにずれている、請求項１に記載のプッシャー付きコンベヤチェン。
【請求項３】
前記潤滑油案内用凹溝は、その外側開口端側ほど深くなる縦断面形状を有するとともに、その内端は一体連設垂直ピンの付け根に達している、請求項１または２に記載のプッシャー付きコンベヤチェン。
【発明の詳細な説明】
【０００１】
【発明の属する技術分野】
本発明は、例えば搬送用台車や搬送用トロリーコンベヤなどの被動用ドッグに係合してこれらを推進させるプッシャーを適当間隔おきに備えたコンベヤチェンに関するものである。
【０００２】
【従来の技術】
この種のプッシャー付きコンベヤチェンは、図１に示すように、長さ方向交互に配置されたセンターリンク１と上下一対のサイドリンク２ａ，２ｂとを、センターリンク１の端部を上下一対のサイドリンク２ａ，２ｂの端部が上下から挟む状態で互いに水平方向に相対揺動自在に垂直ピン３，４により連結し、適当間隔おきにある上側サイドリンク２ａの一端部上にプッシャー５を突設し、このプッシャー５のある側の端部の前記垂直ピン４は当該プッシャー付き上側サイドリンク２ａの下側から一体に連設して成るものである。
【０００３】
しかして当該コンベヤチェン６は、例えば前記プッシャー５を備えた上側サイドリンク２ａの前後に配置されているセンターリンク１に取り付けられたコンベヤチェン支持用トロリー７の左右一対の水平軸ホィール８を介して、左右一対の断面コの字形のコンベヤチェン案内用ガイドレール９に、当該ガイドレール９に沿って移動可能に支持され、上下一対のサイドリンク２ａ，２ｂ間に咬合する駆動用歯輪により駆動され、前記ガイドレール９に沿った一定経路上を移動し得る搬送用台車や搬送用トロリーコンベヤの被動用ドッグに係合する前記プッシャー５によりこれら搬送用台車や搬送用トロリーコンベヤを推進させる。
【０００４】
上記のようなプッシャー付きコンベヤチェンにおいて、各垂直ピン３，４は、サイドリンク２ａ，２ｂに対しては自転しない構造であるが、センターリンク１に対しては相対回転可能であり、従って稼働状態においては、各垂直ピン３，４の周面とセンターリンク１のピン孔内周面との間の相対摺接部１０が大きな圧接力を伴った状態で相対摺接運動することになる。即ち、稼働時間が長くなるに伴って、前記各垂直ピン３，４の周面とセンターリンク１のピン孔内周面との間の相対摺接部１０が磨耗し、チェンの破断事故に至らなくとも、プッシャー５の間隔が大きくなって制御面で不都合が生じることになる。
【０００５】
上記のような不都合を回避するために、前記各垂直ピン３，４の周面とセンターリンク１のピン孔内周面との間の相対摺接部１０に給油する必要がある。この給油作業の自動化を図るために、上記プッシャー付きコンベヤチェン６の循環移動経路中の適当箇所に、図２に示すように注油ノズル１１を配設し、適当なセンサーを併用して、通過する各垂直ピン３，４の上端部へ斜め上横側方から所定量の潤滑油を自動的に噴射（噴霧ではなく、油滴を投射）することが行われている。
【０００６】
【発明が解決しようとする課題】
しかしながら、サイドリンク２ａと一体化されていない独立した垂直ピン３のＴ形頭部３ａに向かって噴射された油滴は、当該Ｔ形頭部３ａの周囲から垂直ピン３の周面に沿って流下し、センターリンク１との間の相対摺接部１０に供給されることになるが、上側サイドリンク２ａの下側に一体連設された垂直ピン４の頭部相当位置に向かって噴射された油滴は、当該サイドリンク２ａの左右両側面を伝って流下するだけであり、当該油滴が、サイドリンク２ａとセンターリンク１との間の上下摺接面を内側に侵入して当該垂直ピン４の周面とセンターリンク１のピン孔内周面との間の相対摺接部１０にまで伝わることは殆ど望むことができなかった。このため、プッシャー付き上側サイドリンク２ａのプッシャー下にある垂直ピン４とこれに嵌合するセンターリンク１との間の相対摺接面１０の磨耗が甚だしくなり、上記のような自動給油手段を併用しても所期の問題点を完全に解消することができなかった。
【０００７】
【課題を解決するための手段】
本発明は上記のような従来の問題点を解消し得るプッシャー付きコンベヤチェンを提供することを目的とするものであって、その手段を後述する実施形態の参照符号を付して示すと、長さ方向交互に配置されたセンターリンク１と上下一対のサイドリンク２ａ，２ｂとを、センターリンク１の端部を上下一対のサイドリンク２ａ，２ｂの端部が上下から挟む状態で互いに水平方向に相対揺動自在に垂直ピン３，４により連結し、適当間隔おきにある上側サイドリンク２ａの一端部上にプッシャー５を突設し、このプッシャー５のある側の端部の前記垂直ピン４は当該プッシャー付き上側サイドリンク２ａの下側から一体に連設したプッシャー付きコンベヤチェンであって、前記プッシャー付き上側サイドリンク２ａには、その一体連設垂直ピン４の左右両側の少なくとも一方において、センターリンク上側面と摺接するリンク下側面１５に、横側方に開口する潤滑油案内用凹溝１６を形成した構成となっている。
【０００８】
なお、前記プッシャー付き上側サイドリンク２ａの側面視において、前記潤滑油案内用凹溝１６の位置を、前記一体連設垂直ピン４の軸心位置よりも当該プッシャー付き上側サイドリンク２ａの長さ方向中央寄りにずらしておくことが望ましい。また、前記潤滑油案内用凹溝１６は、その外側開口端側ほど深くなる縦断面形状を有せしめるとともに、その内端が一体連設垂直ピン４の付け根に達するように構成することができる。
【０００９】
【発明の実施の形態】
以下に本発明の好適実施形態を添付図に基づいて説明すると、図１及び図２において、６はプッシャー付きコンベヤチェンであって、前記のように、長さ方向交互に配置されたセンターリンク１と上下一対のサイドリンク２ａ，２ｂとを、センターリンク１の端部を上下一対のサイドリンク２ａ，２ｂの端部が上下から挟む状態で互いに水平方向に相対揺動自在に垂直ピン３，４により連結し、適当間隔おきにある上側サイドリンク２ａの一端部上にプッシャー５を突設し、このプッシャー５のある側の端部の前記垂直ピン４は当該プッシャー付き上側サイドリンク２ａの下側から一体に連設したものである。
【００１０】
前記プッシャー５を備えた上側サイドリンク２ａの前後に配置されているセンターリンク１には、左右一対のトロリー部材７ａ，７ｂを重ね合わせて構成されたコンベヤチェン支持用トロリー７が取り付けられ、当該左右一対のトロリー部材７ａ，７ｂの下端部外側には同心状に水平軸ホィール８がそれぞれ軸支され、当該左右一対の水平軸ホィール８が左右一対の断面コの字形のコンベヤチェン案内用ガイドレール９に嵌合することにより、コンベヤチェン６がガイドレール９に沿って移動可能に支持されている。
【００１１】
上下一対のサイドリンク２ａ，２ｂの垂直ピン３，４が貫通するピン孔の外側開口端には、左右横向きにピン回り止め用嵌合溝１２（図３〜図５に示すプッシャー付き上側サイドリンク２ａの一端上面に形成された嵌合溝１２を参照）が形成され、各垂直ピン３は、上側サイドリンク２ａの前記ピン回り止め用嵌合溝１２に嵌合するＴ形頭部３ａを有し、下側サイドリンク２ｂの前記ピン回り止め用嵌合溝１２に嵌合し且つ垂直ピン３に対して相対回転不能に外嵌する座金１３と、当該垂直ピン３の下端螺軸部に螺嵌するナット１４とにより、上下一対のサイドリンク２ａ，２ｂとセンターリンク１とを結合するもので、この結合状態では、上下一対のサイドリンク２ａ，２ｂは垂直ピン３を介して互いに平行な向きに固定される。また、図３〜図５に示すように、プッシャー付き上側サイドリンク２ａから下向きに一体連設された垂直ピン４は、その下端に、下側サイドリンク２ｂの前記ピン回り止め用嵌合溝１２に嵌合するＴ形頭部４ａを備えており、当該垂直ピン４により結合される下側サイドリンク２ｂの向きも、プッシャー付き上側サイドリンク２ａと平行な向きに固定される。
【００１２】
さらに、図３〜図５に示すようにプッシャー付き上側サイドリンク２ａには、その一体連設垂直ピン４の左右両側において、センターリンク１の上側面と摺接するリンク下側面１５に、横側方に開口する潤滑油案内用凹溝１６が形成されている。この凹溝１６は、図１及び図４に示すように、前記プッシャー付き上側サイドリンク２ａの側面視において、前記一体連設垂直ピン４の軸心位置よりも当該プッシャー付き上側サイドリンク２ａの長さ方向中央寄りにずれた位置に設けられており、図５に示すように、外側の開口端側ほど深くなり且つその内端が一体連設垂直ピン４の付け根に達するように構成されている。
【００１３】
上記構成のプッシャー付きコンベヤチェン６の循環経路中の適当箇所に、図２に示すように注油ノズル１１を配設し、適当なセンサーを併用して、通過する各垂直ピン３，４の上端部へ斜め上横側方から所定量の潤滑油を自動的に噴射するようにした自動給油手段を併用した場合、プッシャー付き上側サイドリンク２ａの下側に一体連設された垂直ピン４の頭部相当位置、即ち、プッシャー付き上側サイドリンク２ａのプッシャー５の側面付近に向けて投射される油滴は、当該プッシャー５の横側面から当該サイドリンク２ａの横側面を伝って流下し、その一部が前記潤滑油案内用凹溝１６内に流入する。この凹溝１６内に流入した油滴は、当該プッシャー付き上側サイドリンク２ａの下側面とセンターリンク１の上側面との間の摺接部を経由して、または直接、一体連設垂直ピン４の付け根部周面に達し、この垂直ピン４の周面とセンターリンク１のピン孔内周面との間の相対摺接部１０に供給されることになる。
【００１４】
【発明の効果】
以上のように本発明のプッシャー付きコンベヤチェンによれば、各リンク間垂直ピンの頭部に向かって斜め上横側方から潤滑油を自動的に噴射する自動給油手段が併用される場合に、プッシャー付き上側サイドリンク上の一体連設垂直ピンの頭部相当箇所に向かって噴射された潤滑油の一部を、当該プッシャー付き上側サイドリンクの横側面を流下する過程において潤滑油案内用凹溝内に流入させ、この凹溝から当該プッシャー付き上側サイドリンクの下側面とセンターリンク上側面との間の摺接部を経由させて、または当該凹溝から直接、一体連設垂直ピンの付け根部の周面にまで達せしめ、この垂直ピンの周面とセンターリンクのピン孔内周面との間の相対摺接部に対し確実に給油し、所期の潤滑効果を確実に得ることができる。
【００１５】
なお、前記プッシャー付き上側サイドリンクの側面視において、当該プッシャー付き上側サイドリンクから一体に連設されている垂直ピンの周面とセンターリンクのピン孔内周面との間の相対摺接部が、前記一体連設垂直ピンの軸心位置よりも当該プッシャー付き上側サイドリンクの長さ方向中央寄りにずれているので、請求項２に記載の構成によれば、前記潤滑油案内用凹溝内に流入した潤滑油をより確実に前記相対摺接部に導くことができる。
【００１６】
また、請求項３に記載の構成によれば、前記潤滑油案内用凹溝内への潤滑油の流入量を多くすることができるとともに、この凹溝内に流入した潤滑油を確実に一体連設垂直ピンの付け根部からその周面へ導き、所期の潤滑効果をより確実良好に達成させることができる。
【図面の簡単な説明】
【図１】プッシャー付きコンベヤチェンの使用状態を示す一部切り欠き側面図である。
【図２】図１のＡ−Ａ線縦断面図である。
【図３】プッシャー付き上側サイドリンクの平面図である。
【図４】プッシャー付き上側サイドリンクの側面図である。
【図５】図４のＢ−Ｂ線断面図である。
【符号の説明】
１      センターリンク
２ａ    上側サイドリンク
２ｂ    下側サイドリンク
３      垂直ピン
４      一体連設垂直ピン
５      プッシャー
６      プッシャー付きコンベヤチェン
７      トロリー
８      水平軸ホィール
９      ガイドレール
１０    給油対象の相対摺接部
１１    注油ノズル
１５    プッシャー付き上側サイドリンクの下側面
１６    潤滑油案内用凹溝
【図１】
0003546230.tif 000002
【図２】
0003546230.tif 000003
【図３】
0003546230.tif 000004
【図４】
0003546230.tif 000005
【図５】
0003546230.tif 000006